(57)【要約】      （修正有）【課題】極めて単純な構成により低コストで製造することができ、多くの人々に安価に販売することができる、利用者が自らのＳ字体形を保持したまま着座を続けられる椅子を提供する。【解決手段】ユーザーの脊椎の上下方向の中間部分を前方向に支持する脊椎支持部４と、ユーザーの臀部及び大腿部が載置される座面部１であって、平面視において前記座面部中の前記脊椎支持部よりも後方側に位置する後臀載置領域Ａであって、ユーザーの臀部の後部が載置可能な幅を有する後臀載置領域を含む座面部とを備え、前記脊椎支持部の下側と前記座面部中の後臀載置領域との間に、ユーザーから見て前後方向においてユーザーの臀部の後部が配置可能な幅を有する後臀配置空間が形成されているＳ字体形保持椅子である。【選択図】図１
2017140333.tif 000002
【特許請求の範囲】
【請求項１】
ユーザーの脊椎の上下方向の中間部分を前方向に支持する脊椎支持部と、
ユーザーの臀部及び大腿部が載置される座面部であって、平面視において自ら（座面部）の中の前記脊椎支持部よりも後方側の後臀載置領域であって、ユーザーの臀部の後部が載置可能な幅を有する後臀載置領域を含む座面部とを備え、
前記脊椎支持部の下側と前記座面部中の後臀載置領域との間に、「ユーザーから見て前後方向においてユーザーの臀部の後部が挿入及び配置可能な幅」を有する後臀配置空間が形成されている、Ｓ字体形保持椅子。
【請求項２】
前記脊椎支持部は、前記座面部の後部から上方に延びるように配置された背凭れ部に備えられており、
前記背凭れ部には、ユーザーから見て上下左右方向において前記後臀載置領域からユーザーの臀部上端部又はその近傍部分と対向する高さ位置までの範囲を有する開口部であって、ユーザーの臀部の後部が後方向に挿入可能な開口部が形成されており、
前記後臀載置領域は前記座面部中の前記開口部よりも後方に位置しており、前記後臀配置空間は前記開口部及びその後方の空間を含むように形成されている、請求項１に記載のＳ字体形保持椅子。
【請求項３】
前記脊椎支持部は、前記座面部の後部から上方に延びるように配置された背凭れ部に備えられており、
前記背凭れ部には、ユーザーから見て上下左右方向において前記後臀載置領域からユーザーの臀部上端部又はその近傍部分と対向する高さ位置までの範囲を有する凹部であって、「ユーザーから見て前後方向においてユーザーの臀部の後部が挿入及び配置可能な幅」を有する凹部が形成されており、
前記後臀載置領域は前記座面部中の前記凹部の底部に位置しており、前記後臀配置空間は前記凹部の内部に形成されている、請求項１に記載のＳ字体形保持椅子。
【請求項４】
前記脊椎支持部は、前記座面部の後部から上方に延びるように配置された背凭れ部のユーザーの脊椎の上下方向の中間部分に対向する位置に備えられた、ユーザーから見て前方向に突出する突部であり、
前記後臀載置領域は前記座面部中の前記突部の下面と対向するように配置されており、
前記突部の下面と前記後臀載置領域との間には、ユーザーから見て上下左右方向において前記後臀載置領域からユーザーの臀部上端部又はその近傍部分と対向する高さ位置までの範囲を有する後臀配置空間であって、「ユーザーから見て前後方向においてユーザーの臀部の後部が挿入及び配置可能な幅」を有する後臀配置空間が形成されている、請求項１に記載のＳ字体形保持椅子。
【請求項５】
前記背凭れ部の凹部を塞ぐ形状を有する柔軟部材であって、前記背凭れ部に対して取り付け及び取り外し可能な柔軟部材をさらに含む、請求項３に記載のＳ字体形保持椅子。
【請求項６】
前記突部は、前記背凭れ部に対して着脱可能に構成されている、請求項４に記載のＳ字体形保持椅子。
【発明の詳細な説明】
【技術分野】
【０００１】
本発明は、ユーザー（着座者）が自らのＳ字体形（脊椎が側面視でＳ字形状となっている体形）を保持したまま着座を続けられる椅子（ソファーを含む。また、当然、自動車、バス、電車、船舶、飛行機等の交通機関に使用される椅子も含む）に関する。
【背景技術】
【０００２】
従来より、ユーザーが脊椎のＳ字形状（側面視でのＳ字形状）を保持したまま着座を続けられる椅子が提案されている。例えば、特許文献１は、背凭れ部の内部に横方向に延びる背凭れベルトを上下方向に渡って互いに平行に複数本配置し、各背凭れベルトの張力等をモーターなどで調整することにより、背凭れ部の形状・角度等をユーザーが脊椎のＳ字形状を保持できるようにした椅子を提案している。
【先行技術文献】
【特許文献】
【０００３】
【特許文献１】特許第５１７０５１９号公報
【発明の概要】
【発明が解決しようとする課題】
【０００４】
しかしながら、従来より特許文献１などが提案しているユーザーが自らのＳ字体形を保持したまま着座を続けられる椅子は、いずれも、背凭れ部の内部または外部に複雑な構造を採用している（例えば特許文献１が提案する椅子では背凭れ部の内部に複数本の背凭れベルトやモーターなどを含む複雑な機構を内蔵させている）ことから、製造コストが極めて高くなってしまい、多くの人々に安価に提供することができないという問題があった。
【０００５】
本発明はこのような従来技術の問題点に着目して為されたものであって、極めて単純な構成にして低コストで製造することができ、多くの人々に安価に提供することができる、ユーザーが自らのＳ字体形（脊椎が側面視でＳ字形状となっている体形）を保持したまま着座を続けられる椅子を提供することを目的とする。
【課題を解決するための手段】
【０００６】
以上のような課題を解決するための本発明によるＳ字体形保持椅子（「椅子」はソファーを含む。また、当然、自動車、バス、電車、船舶、飛行機等の乗り物に使用される椅子をも含む。）は、ユーザーの脊椎の上下方向の中間部分を前方向に向けて支持する脊椎支持部と、ユーザーの臀部及び大腿部が載置される座面部であって、「平面視において前記座面部中の前記脊椎支持部よりも後方側に位置する後臀載置領域であって、ユーザーの臀部の後部（臀部の一部）が載置可能な幅を有する後臀載置領域」を含む座面部とを備え、前記脊椎支持部の下側と前記座面部中の後臀載置領域との間に、ユーザーから見て前後方向においてユーザーの臀部の後部（臀部の一部）が挿入又は配置可能な幅を有する後臀配置空間が形成されて成るものである。
【０００７】
また、本発明によるＳ字体形保持椅子においては、前記脊椎支持部は、前記座面部の後部から上方に延びるように配置された背凭れ部に備えられており、前記背凭れ部には、ユーザーから見て上下左右方向において前記後臀載置領域からユーザーの臀部上端部又はその近傍部分と対向する高さ位置までの範囲を有する開口部であってユーザーの臀部の後部が後方向に挿入可能な開口部が形成されており、前記後臀載置領域は前記座面部中の前記開口部より後方に位置しており、前記後臀配置空間は前記開口部及びその後方の空間を含むものであってもよい。
【０００８】
また、本発明によるＳ字体形保持椅子においては、前記脊椎支持部は、前記座面部の後部から上方に延びるように配置された背凭れ部に備えられており、前記背凭れ部には、ユーザーから見て上下左右方向において前記後臀載置領域からユーザーの臀部上端部又はその近傍部分と対向する高さ位置までの範囲を有する凹部であってユーザーから見て前後方向においてユーザーの臀部の後部が挿入及び配置可能な幅を有する凹部が形成されており、前記後臀載置領域は前記座面部中の前記凹部の底部に位置しており、前記後臀配置空間は前記凹部の内部に形成されていてもよい。また、この場合、前記背凭れ部の凹部を塞ぐ形状を有する柔軟部材であって、前記背凭れ部に対して取り付け及び取り外し可能な柔軟部材（背凭れ用のクッション部）をさらに含むようにしてもよい。
【０００９】
さらに、本発明によるＳ字体形保持椅子においては、前記脊椎支持部は、前記座面部の後部から上方に延びるように配置された背凭れ部のユーザーの脊椎の上下方向の中間部分に対向する位置に備えられた、ユーザーから見て前方向に突出する突部であり、前記後臀載置領域は前記座面部中の前記突部の下面と対向するように配置されており、前記突部の下面と前記後臀載置領域との間には、ユーザーから見て上下左右方向において前記後臀載置領域からユーザーの臀部上端部又はその近傍の位置と対向する高さ位置までの範囲を有する後臀配置空間であって、ユーザーから見て前後方向においてユーザーの臀部の後部が挿入及び配置可能な幅を有する後臀配置空間が形成されていてもよい。また、この場合、前記突部を前記背凭れ部に対して（例えば面ファスナーなどにより）着脱可能なものとしてもよい。
【発明の効果】
【００１０】
本発明においては、椅子の座面部中の前記後臀載置領域（平面視において座面部中の脊椎支持部よりも後方側に位置する後臀載置領域であってユーザーの臀部の後部が載置可能な幅を有する後臀載置領域）にユーザーの臀部の後部（臀部の一部）を配置できるようにし、前記脊椎支持部の下側と前記座面部中の後臀載置領域との間の後臀配置空間（ユーザーから見て前後方向においてユーザーの臀部の後部が挿入及び配置可能な幅を有する空間）にユーザーの臀部の後部が挿入及び配置できるようにしている。本発明では、このような単純な構成（安価に製造できる構成）により、椅子を利用するユーザーは、自らの身体を「自らの脊椎の中間位置が前記脊椎支持部により前方に押された状態で支持されながら、自らの臀部の後部が平面視で前記脊椎支持部よりも後方の領域（後臀載置領域）に配置されているというＳ字体形」に保持できるようになる。よって、本発明によれば、ユーザーが自らのＳ字体形を保持したまま着座を続けられる椅子を、極めて単純な構成のまま低コストで製造して、より多くの人々に安価に販売・提供することができるようになる。
【００１１】
また、本発明において、前記背凭れ部中に「ユーザーの臀部の後部が後方向に挿入可能な開口部」を形成するようにし、この開口部により、前記座面部中の前記開口部から後方の部分にユーザーの臀部の後部（臀部の一部）を載置できる後臀載置領域を形成又は配置するようにしたときは、ユーザーが自らのＳ字体形を保持したまま着座を続けられる椅子を、極めて単純な構成としたまま低コストで製造できるようになる。
【００１２】
また、本発明において、前記背凭れ部に「ユーザーから見て前後方向においてユーザーの臀部の後部が挿入及び配置可能な幅を有する凹部」を形成し、且つ前記座面部中の前記凹部の底部に前記後臀載置領域を形成又は配置するようにしたときは、ユーザーが自らのＳ字体形を保持したまま着座を続けられる椅子を、極めて単純な構成としたまま低コストで製造できるようになる。また、この場合において、さらに、前記背凭れ部の凹部を塞ぐ形状を有する柔軟部材（前記背凭れ部に対して取り付け及び取り外し可能な、背凭れ用のクッション部など）を備えるようにしたときは、前記凹部の使用を希望しないユーザーは、前記柔軟部材で前記凹部を塞ぐことにより、従来と同様の椅子（ソファーを含む）として使用することができる。
【００１３】
さらに、本発明において、前記背凭れ部のユーザーの脊椎の上下方向の中間部分に対向する位置に「ユーザーから見て前方向に突出する突部」を備え、且つ前記座面部中の前記突部の下面と対向する後臀載置領域にユーザーの臀部の後部を載置できるようにし、前記突部の下面と前記後臀載置領域との間の後臀配置空間（ユーザーから見て前後方向においてユーザーの臀部の後部が挿入及び配置可能な幅を有する空間）にユーザーの臀部の後部を配置できるようにしたときは、利用者が自らのＳ字体形を保持したまま着座を続けられる椅子を、極めて単純な構成としたまま低コストで製造できるようになる。また、この場合において、前記突部を、前記背凭れ部に対して（例えば面ファスナーなどにより）着脱可能なものとしたときは、前記突部の使用を希望しないユーザーは、前記突部を取り除くことにより、従来と同様の椅子（ソファーを含む）として使用することができる。
【図面の簡単な説明】
【００１４】
【図１】本発明の実施形態１に係るＳ字体形保持椅子を示す図で、（ａ）はその側面図、（ｂ）はその正面図、（ｃ）はその平面図である。
【図２】本実施形態１のＳ字体形保持椅子の動作を説明するための図である。
【図３】本発明の実施形態２に係るＳ字体形を保持できるソファーを説明するための側面図である。
【図４】本発明の実施形態３に係るＳ字体形を保持できる椅子を示す図で、（ａ）はその側面図、（ｂ）はその正面図、（ｃ）はその平面図である。
【図５】本実施形態３のＳ字体形保持椅子の動作を説明するための図である。
【図６】本実施形態３の変形例を説明するための図である。
【発明を実施するための形態】
【００１５】
〔第１の実施形態〕
以下、本発明の実施の形態を図面を用いて説明する。図１（ａ）は本発明の実施形態１に係るＳ字体形保持椅子を示す図で、（ａ）は側面図、（ｂ）はその正面図、（ｃ）はその平面図である。図１において、１はユーザーの臀部及び大腿部を載せる座面部、２は前記座面部１を支持する脚部、３は前記座面部１の後方（図示右方向）部分から図示上方に突設される背凭れ部、４は前記背凭れ部３の図示上下方向の中間位置に横方向に配置された正面側が細長い形状で所定の厚みを有する板状体から成る脊椎支持部である。また、図１（ｂ）の５は、前記背凭れ部３中の前記脊椎支持部４と前記座面部１との間に形成された開口部である。また、図１（ｃ）の平面図では、前記背凭れ部３及び脊椎支持部４の図示を省略している。
【００１６】
本実施形態１の前記座面部１においては、図１（ｃ）の平面図に示すように、平面視において前記座面部１中の前記開口部５及び前記脊椎支持部４（図１（ｃ）では図示省略）よりもユーザーから見て後方側（図１（ｃ）において上側）の位置に、ユーザーの臀部の後部（臀部の一部）を載置できる後臀載置領域Ａが配置されている。また、本実施形態１では、図２（ｂ）に示すように、前記座面部１中の後臀載置領域Ａと前記脊椎支持部４との間に、ユーザー１０の臀部の後部１０ａが載置可能な幅Ｂ（前記後臀載置領域Ａのユーザーから見て前後方向の幅）を有する後臀配置空間Ａ’が形成され、この後臀配置空間Ａ’中に、ユーザーの臀部の後部を配置できるようになっている。
【００１７】
本実施形態１では、前記開口部５（図１（ｂ）参照）は、ユーザー１０から見たときの上下左右方向において前記後臀載置領域Ａから臀部上端部又はその近傍と対向する高さ位置までの範囲を有するように形成されており、且つユーザーの臀部の後部が後方向（図示右方向）に挿入可能となるように形成されている。よって、本実施形態１では、ユーザー１０が前記座面部１上に着座すると、図２に示すように、ユーザー１０の脊椎の上下方向の中間位置は、前記脊椎支持部４により前方向（図示左方向）に支持される。このとき、ユーザー１０の臀部の後部１０ａは、前記開口部５の中を通って後方向（図２の右方向）に挿入され、その結果、平面視において前記座面部１中の前記脊椎支持部４よりも後方側（図２の右側）の後臀載置領域Ａの上に載置され、前記後臀載置領域Ａの上方の後臀配置空間Ａ’（前記脊椎支持部４の下方の空間であって前記開口部５を含む空間）に配置される。
【００１８】
以上のように、本実施形態１においては、椅子の座面部１に、平面視において座面部１中の脊椎支持部４よりもユーザーから見て後方側に位置する後臀載置領域Ａであって、ユーザー１０の臀部の後部１０ａが載置可能な幅Ｂを有する後臀載置領域Ａを含むようにし、これにより、前記脊椎支持部４の下面と前記座面部１中の後臀載置領域Ａとの間に、ユーザー１０から見たときの前後方向においてユーザー１０の臀部の後部１０ａが挿入及び配置可能な幅Ｂを有する後臀配置空間Ａ’が形成されている。よって、本実施形態１では、前記背凭れ部３に前述のような脊椎支持部４と開口部５を備えるという極めて単純な構成（安価に製造できる構成）を採用するだけで、ユーザー１０の身体を、自らの脊椎の中間位置が前記脊椎支持部４により前方に押された状態で支持されながら自らの臀部の後部１０ａが平面視で前記脊椎支持部４よりも後方の領域（後臀載置領域Ａ及び後臀配置空間Ａ’）に配置されているというＳ字体形（脊椎が側面視でＳ字形状となっている体形）となる。よって、本実施形態１によれば、ユーザー１０が自らのＳ字体形を保持したまま着座を続けられる椅子を、極めて単純な構成としたまま低コストで製造できるようになる。
【００１９】
〔第２の実施形態〕
次に、図３（ａ）及び（ｂ）は本発明の実施形態２に係るＳ字体形を保持できるソファーを示す図である。図３（ａ）において、１４は略Ｌ字状の骨格部、１１は前記骨格部１４の図示略水平部分の上に配置された座面部、１２は前記骨格部１４の下面に固定された脚部、１３は前記骨格部１４の図示略垂直部分の側部の図示左側に配置された背凭れ部である。
【００２０】
本実施形態２では、前記背凭れ部１３が図示上下２つのクッション部（柔軟部材）１３ａ，１３ｂから構成されている点に特徴がある。すなわち、本実施形態２では、前記背凭れ部１３中の座面部１１に近い側（下側）のクッション部１３ｂが、座面部１１から離れた側（上側）のクッション部１３ａに対して着脱自在に構成されている。
【００２１】
図３（ｂ）は前記下側クッション部１３ｂを前記上側クッション部１３ａから取り外した状態を示している。この状態においては、前記上側クッション部１３ａのユーザーから見て前方側（図示左側）に突出する部分１３ｃが、ユーザーの脊椎をユーザーから見て前方向（図示左方向）に押すように支持する脊椎支持部となる。
【００２２】
このように、本実施形態２では、前記座面部１１に、平面視において前記座面部１１中の前記脊椎支持部１３ｃよりも後方側（図示右側）に位置する後臀載置領域Ａであって、ユーザーの臀部の後部が載置可能な幅Ｂを有する後臀載置領域Ａが配置される。また、本実施形態２では、前記脊椎支持部１３ｃの下側と前記座面部１１中の後臀載置領域Ａとの間に、「ユーザーから見て前後方向においてユーザーの臀部の後部（図２の１０ａ参照）が挿入及び配置可能な幅（図３（ｂ）のＢ参照）を有する凹部（後臀配置空間）Ａ’」が形成される。
【００２３】
以上のように、本実施形態２によれば、前記背凭れ部１３に「ユーザーから見て前後方向においてユーザーの臀部の後部１０ａが挿入及び配置可能な幅Ｂを有する凹部（後臀配置空間）Ａ’」を形成し、且つ前記座面部１１中の前記凹部（後臀配置空間）Ａ’の底部（前記座面部１１の一部）に前記後臀載置領域Ａが配置されるようにしたので、前記実施形態１（図２参照）と同様に、ユーザーが自らのＳ字体形を保持したまま着座を続けられる椅子を、極めて単純な構成としたまま低コストで製造できるようになる。また、本実施形態２では、前記下側クッション部１３ｂを前記上側クッション部１３ａの下側に配置することにより、前記凹部Ａ’が塞がれた状態（図３（ａ）に示す状態）とし、従来と同様の形態のソファーとして利用することもできるので、ユーザーにとって利便性が高まるメリットがある。
【００２４】
〔第３の実施形態〕
次に、図４は本発明の実施形態３に係るＳ字体形を保持できる椅子を示す図で、（ａ）は側面図、（ｂ）はその正面図、（ｃ）はその平面図である。図４において、前記実施形態１に関する図１と共通する部分には同一の符号を付して説明を省略する。本実施形態３では、前記実施形態１と異なって、図４（ａ）及び（ｂ）に示すように、背凭れ部２３の上下方向の中間位置（ユーザーの脊椎の上下方向の中間的位置が対向する部分）にユーザーから見て前方向（図示左方向）に突出する脊椎支持用突部２４が備えられている。また本実施形態３においては、図４（ｃ）の平面図（この平面図では、前記背凭れ部２３及び脊椎支持部２４は図示省略している）に示すように、前記座面部１中に、平面視において前記座面部１中の前記脊椎支持部２４（図４（ｃ）では図示省略）よりもユーザーから見て後方側（図４（ｃ）において上側）の位置に、ユーザーの臀部の後部（臀部の一部）を載置できる後臀載置領域Ａが配置されている。
【００２５】
次に図５を参照して本実施形態３の動作を説明する。本実施形態３では、図５（ａ）に示すように、前記座面部１中の前記突部２４の下側と対向する部分（図４（ｃ）に示すように、平面視において前記座面部１中の前記突部２４よりも後方側（図４（ｃ）において上側）の領域）が、ユーザー１０の臀部の後部１０ａが載置可能な幅Ｂを有する後臀載置領域Ａとなっている。また、本実施形態３では、前記突部２４の下側と前記座面部１中の後臀載置領域Ａとの間に、ユーザーから見た上下左右方向においてユーザー１０の臀部の後部１０ａを挿入可能であり、且つユーザーから見て前後方向においてユーザー１０の臀部の後部１０ａが配置可能な幅Ｂを有する後臀配置空間Ａ’が形成されている。
【００２６】
以上のように、本実施形態３においては、前記背凭れ部２３のユーザーの脊椎の上下方向の中間部分に対向する位置に「ユーザーから見て前方向に突出する突部２４」を備え、且つ前記突部２４の下側とその下方の前記座面部１との間に、ユーザーから見て上下左右方向において前記後臀載置領域Ａから臀部上端部又はその近傍部分と対向する高さ位置までの範囲を有し、ユーザーから見て前後方向においてユーザーの臀部の後部１０ａが配置可能な幅Ｂを有する後臀配置空間Ａ’を形成するようにしている。よって、本実施形態３によれば、ユーザーが自らのＳ字体形を保持したまま着座を続けられる椅子（ソファーを含む）を、極めて単純な構成としたまま低コストで製造できるようになる。
【００２７】
なお、図６は本実施形態３の変形例を示す図である。図６において、３１は自動車用座席（椅子）の座面部、３３は背凭れ部、３４は前記背凭れ部３３中の上下方向の中間的位置のユーザー側（前方側）に配置された脊椎支持用突部である。前記突部３４は、例えば面ファスナー（商標として「マジックテープ」）などを利用して、前記背凭れ部３３に対して着脱自在に構成されている。このような変形例は、自動車だけでなく、船舶、電車、飛行機などの乗り物用の椅子に関して広く適用可能である。以上のような変形例によっても、前記実施形態３と同様の作用効果を奏することができる。
【００２８】
以上、本発明の各実施形態について説明したが、本発明は前記の各実施形態として述べたものに限定されるものではなく、様々な修正及び変更が可能である。例えば、前記実施形態１，３においては、前記脊椎支持部４，２４は前記背凭れ部３，２３に取り付けたときは位置を変動させないようにしているが、本発明ではこれに限定されるものではなく、前記脊椎支持部４，２４を前記背凭れ部３，２３に対して、公知の手段（例えば、従来より椅子に備えられている、背凭れ部の傾きを調整する機構、背凭れ部及び座面部をユーザーから見て前後方向又は上下方向に位置調整する機構など）を利用して、ユーザーから見て前後方向又は上下方向に所定範囲だけその位置を調整・変動できるように構成してもよい。また、前記実施形態２の各クッション部１３ａ，１３ｂは例えば空気を出し入れして厚さ・大きさを調整できるようにしてもよい。
【符号の説明】
【００２９】
１，１１  座面部
３，１３，２３，３３  背凭れ部
４  脊椎支持部
５  開口部
１０  ユーザー
１０ａ  ユーザーの臀部の後部
１３  クッション部
１３ａ  上側クッション部
１３ｂ  下側クッション部
１４  骨格部
２４，３４  突部
Ａ  後臀載置領域
Ａ’  後臀配置空間（凹部）
【図１】
2017140333.tif 000003
【図２】
2017140333.tif 000004
【図３】
2017140333.tif 000005
【図４】
2017140333.tif 000006
【図５】
2017140333.tif 000007
【図６】
2017140333.tif 000008
【手続補正書】
【提出日】平成28年6月29日(2016.6.29)
【手続補正１】
【補正対象書類名】特許請求の範囲
【補正対象項目名】全文
【補正方法】変更
【補正の内容】
【特許請求の範囲】
【請求項１】
「ユーザーの脊椎中の臀部の上方部分であって、脊椎が側面視でＳ字形状となっているとき前方に向かって湾曲する部分」を前方向に支持する脊椎支持部と、ユーザーの臀部及び大腿部が載置される座面部であって平面視において自ら（座面部）の中の前記脊椎支持部よりも後方側の後臀載置領域であってユーザーの臀部の後部が載置可能な幅を有する後臀載置領域を含む座面部と、前記脊椎支持部の下側と前記座面部中の後臀載置領域との間に形成された「ユーザーから見て前後方向においてユーザーの臀部の後部が挿入及び配置可能な幅」を有する後臀配置空間とを有するＳ字体形保持椅子であって、
前記脊椎支持部は、前記座面部の後部から上方に延びるように配置された背凭れ部に備えられており、
前記背凭れ部と座面部との間には、ユーザーから見て上下左右方向において前記後臀載置領域からユーザーの臀部上端部又はその近傍部分と対向する高さ位置までの範囲を有する開口部であって、ユーザーの臀部の後部が後方向に挿入可能な開口部が形成されており、
前記後臀載置領域は前記座面部中の前記開口部よりも後方に位置しており、前記後臀配置空間は前記開口部及びその後方の空間を含むように形成されている、Ｓ字体形保持椅子。
【請求項２】
「ユーザーの脊椎中の臀部の上方部分であって、脊椎が側面視でＳ字形状となっているとき前方に向かって湾曲する部分」を前方向に支持する脊椎支持部と、ユーザーの臀部及び大腿部が載置される座面部であって平面視において自ら（座面部）の中の前記脊椎支持部よりも後方側の後臀載置領域であってユーザーの臀部の後部が載置可能な幅を有する後臀載置領域を含む座面部と、前記脊椎支持部の下側と前記座面部中の後臀載置領域との間に形成された「ユーザーから見て前後方向においてユーザーの臀部の後部が挿入及び配置可能な幅」を有する後臀配置空間とを有するＳ字体形保持椅子であって、
前記脊椎支持部は、前記座面部の後部から上方に延びるように配置された背凭れ部に備えられており、
前記背凭れ部には、ユーザーから見て上下左右方向において前記後臀載置領域からユーザーの臀部上端部又はその近傍部分と対向する高さ位置までの範囲を有する凹部であって、ユーザーの臀部の後部が挿入及び配置可能な凹部が形成されており、
前記後臀載置領域は前記座面部中の前記凹部の底部に位置しており、前記後臀配置空間は前記凹部の内部に形成されており、
前記背凭れ部の凹部を塞ぐ形状を有する柔軟部材であって前記背凭れ部に対して取り付け及び取り外し可能な柔軟部材が備えられている、Ｓ字体形保持椅子。
【手続補正書】
【提出日】平成28年10月14日(2016.10.14)
【手続補正１】
【補正対象書類名】特許請求の範囲
【補正対象項目名】全文
【補正方法】変更
【補正の内容】
【特許請求の範囲】
【請求項１】
「ユーザーの脊椎中の臀部の上方部分であって、脊椎が側面視でＳ字形状となっているとき前方に向かって湾曲する部分」を前方向に支持する脊椎支持部と、ユーザーの臀部及び大腿部が載置される座面部であって平面視において自ら（座面部）の中の前記脊椎支持部よりも後方側の後臀載置領域であってユーザーの臀部の後部が載置可能な幅を有する後臀載置領域を含む座面部と、前記脊椎支持部の下側と前記座面部中の後臀載置領域との間に形成された「ユーザーから見て前後方向においてユーザーの臀部の後部が挿入及び配置可能な幅」を有する後臀配置空間とを有するＳ字体形保持椅子であって、
前記脊椎支持部は、前記座面部の後部から上方に延びるように配置された背凭れ部に備えられており、
前記背凭れ部と座面部との間には、「ユーザーから見て上下左右方向において前記後臀載置領域からユーザーの臀部上端部又はその近傍部分と対向する高さ位置までの範囲を有する開口部であって、ユーザーの臀部の後部が当該開口部から後方向に挿入され且つ前記後臀載置領域上に配置されることを可能とし、これにより、ユーザーの脊椎中の臀部の上方部分が前記脊椎支持部により前方向に支持されることと相俟って、ユーザーの身体がＳ字体形に保持されるようにする、開口部」が形成されており、
前記後臀載置領域は前記座面部中の前記開口部よりも後方に位置しており、前記後臀配置空間は前記開口部及びその後方の空間を含むように形成されている、Ｓ字体形保持椅子。
【請求項２】
「ユーザーの脊椎中の臀部の上方部分であって、脊椎が側面視でＳ字形状となっているとき前方に向かって湾曲する部分」を前方向に支持する脊椎支持部と、ユーザーの臀部及び大腿部が載置される座面部であって平面視において自ら（座面部）の中の前記脊椎支持部よりも後方側の後臀載置領域であってユーザーの臀部の後部が載置可能な幅を有する後臀載置領域を含む座面部と、前記脊椎支持部の下側と前記座面部中の後臀載置領域との間に形成された「ユーザーから見て前後方向においてユーザーの臀部の後部が挿入及び配置可能な幅」を有する後臀配置空間とを有するＳ字体形保持椅子であって、
前記脊椎支持部は、前記座面部の後部から上方に延びるように配置された背凭れ部に備えられており、
前記背凭れ部には、「ユーザーから見て上下左右方向において前記後臀載置領域からユーザーの臀部上端部又はその近傍部分と対向する高さ位置までの範囲を有する凹部であって、ユーザーの臀部の後部が当該凹部内に挿入され且つ前記後臀載置領域域上に配置されることを可能とし、これにより、ユーザーの脊椎中の臀部の上方部分が前記脊椎支持部により前方向に支持されることと相俟って、ユーザーの身体がＳ字体形に保持されるようにする、凹部」が形成されており、
前記後臀載置領域は前記座面部中の前記凹部の底部に位置しており、前記後臀配置空間は前記凹部の内部に形成されており、
前記背凭れ部の凹部を塞ぐ形状を有する柔軟部材であって前記背凭れ部に対して取り付け及び取り外し可能な柔軟部材が備えられている、Ｓ字体形保持椅子。
【手続補正２】
【補正対象書類名】明細書
【補正対象項目名】０００７
【補正方法】変更
【補正の内容】
【０００７】
また、本発明によるＳ字体形保持椅子は、「ユーザーの脊椎中の臀部の上方部分であって、脊椎が側面視でＳ字形状となっているとき前方に向かって湾曲する部分」を前方向に支持する脊椎支持部と、ユーザーの臀部及び大腿部が載置される座面部であって平面視において自ら（座面部）の中の前記脊椎支持部よりも後方側の後臀載置領域であってユーザーの臀部の後部が載置可能な幅を有する後臀載置領域を含む座面部と、前記脊椎支持部の下側と前記座面部中の後臀載置領域との間に形成された「ユーザーから見て前後方向においてユーザーの臀部の後部が挿入及び配置可能な幅」を有する後臀配置空間とを有するＳ字体形保持椅子であって、前記脊椎支持部は、前記座面部の後部から上方に延びるように配置された背凭れ部に備えられており、前記背凭れ部と座面部との間には、「ユーザーから見て上下左右方向において前記後臀載置領域からユーザーの臀部上端部又はその近傍部分と対向する高さ位置までの範囲を有する開口部であって、ユーザーの臀部の後部が当該開口部から後方向に挿入され且つ前記後臀載置領域上に配置されることを可能とし、これにより、ユーザーの脊椎中の臀部の上方部分が前記脊椎支持部により前方向に支持されることと相俟って、ユーザーの身体がＳ字体形に保持されるようにする、開口部」が形成されており、前記後臀載置領域は前記座面部中の前記開口部よりも後方に位置しており、前記後臀配置空間は前記開口部及びその後方の空間を含むように形成されているものである。
【手続補正３】
【補正対象書類名】明細書
【補正対象項目名】０００８
【補正方法】変更
【補正の内容】
【０００８】
また、本発明によるＳ字体形保持椅子は、「ユーザーの脊椎中の臀部の上方部分であって、脊椎が側面視でＳ字形状となっているとき前方に向かって湾曲する部分」を前方向に支持する脊椎支持部と、ユーザーの臀部及び大腿部が載置される座面部であって平面視において自ら（座面部）の中の前記脊椎支持部よりも後方側の後臀載置領域であってユーザーの臀部の後部が載置可能な幅を有する後臀載置領域を含む座面部と、前記脊椎支持部の下側と前記座面部中の後臀載置領域との間に形成された「ユーザーから見て前後方向においてユーザーの臀部の後部が挿入及び配置可能な幅」を有する後臀配置空間とを有するＳ字体形保持椅子であって、前記脊椎支持部は、前記座面部の後部から上方に延びるように配置された背凭れ部に備えられており、前記背凭れ部には、「ユーザーから見て上下左右方向において前記後臀載置領域からユーザーの臀部上端部又はその近傍部分と対向する高さ位置までの範囲を有する凹部であって、ユーザーの臀部の後部が当該凹部内に挿入され且つ前記後臀載置領域域上に配置されることを可能とし、これにより、ユーザーの脊椎中の臀部の上方部分が前記脊椎支持部により前方向に支持されることと相俟って、ユーザーの身体がＳ字体形に保持されるようにする、凹部」が形成されており、前記後臀載置領域は前記座面部中の前記凹部の底部に位置しており、前記後臀配置空間は前記凹部の内部に形成されており、前記背凭れ部の凹部を塞ぐ形状を有する柔軟部材であって前記背凭れ部に対して取り付け及び取り外し可能な柔軟部材が備えられているものである。
【手続補正書】
【提出日】平成29年2月20日(2017.2.20)
【手続補正１】
【補正対象書類名】特許請求の範囲
【補正対象項目名】全文
【補正方法】変更
【補正の内容】
【特許請求の範囲】
【請求項１】
ユーザーの臀部及び大腿部が載置される座面部であって、平面視において自ら（座面部）の中の後記脊椎支持部よりも後方側の後臀載置領域であってユーザーの臀部の後部が載置可能な幅を有する後臀載置領域を含む座面部と、
前記座面部のユーザーから見て後方の部分から上方に延びるように配置された背凭れ部と、
前記背凭れ部に備えられ、「ユーザーの脊椎中の臀部の上方部分であって、脊椎が側面視でＳ字形状となっているとき前方に向かって湾曲する部分」を前方向に支持する脊椎支持部と、
前記背凭れ部と前記座面部の後臀載置領域との間に形成された「ユーザーの臀部の後部が載置可能な幅と高さを有する凹部」であって、ユーザーの臀部の後部が当該凹部内に挿入されて前記後臀載置領域上に配置されることを可能とし、これにより、ユーザーの脊椎中の臀部の上方部分が前記脊椎支持部により前方向に支持されることと相俟って、ユーザーに対しＳ字体形を保持させるように作用する凹部と、
前記背凭れ部に対して取り付け及び取り外し可能な柔軟部材であって、前記背凭れ部の凹部を塞ぐ形状を有しており、前記凹部を塞ぐように配置されたとき、ユーザーの臀部が当該柔軟部材の前方部分に当接されることにより、前記座面部に座っているユーザーの臀部の位置を、「当該柔軟部材が前記凹部を塞いでいないときの前記凹部の内部の位置」から、「前記凹部の外側の位置、すなわちユーザーの臀部が当該柔軟部材の前方部分に当接する位置」に変更させる柔軟部材と、
を備えたＳ字体形保持椅子。
【手続補正２】
【補正対象書類名】明細書
【補正対象項目名】０００８
【補正方法】変更
【補正の内容】
【０００８】
また、本発明によるＳ字体形保持椅子は、ユーザーの臀部及び大腿部が載置される座面部であって、平面視において自ら（座面部）の中の後記脊椎支持部よりも後方側の後臀載置領域であってユーザーの臀部の後部が載置可能な幅を有する後臀載置領域を含む座面部と、前記座面部のユーザーから見て後方の部分から上方に延びるように配置された背凭れ部と、前記背凭れ部に備えられ、「ユーザーの脊椎中の臀部の上方部分であって、脊椎が側面視でＳ字形状となっているとき前方に向かって湾曲する部分」を前方向に支持する脊椎支持部と、前記背凭れ部と前記座面部の後臀載置領域との間に形成された「ユーザーの臀部の後部が載置可能な幅と高さを有する凹部」であって、ユーザーの臀部の後部が当該凹部内に挿入されて前記後臀載置領域上に配置されることを可能とし、これにより、ユーザーの脊椎中の臀部の上方部分が前記脊椎支持部により前方向に支持されることと相俟って、ユーザーに対しＳ字体形を保持させるように作用する凹部と、前記背凭れ部に対して取り付け及び取り外し可能な柔軟部材であって、前記背凭れ部の凹部を塞ぐ形状を有しており、前記凹部を塞ぐように配置されたとき、ユーザーの臀部が当該柔軟部材の前方部分に当接されることにより、前記座面部に座っているユーザーの臀部の位置を、「当該柔軟部材が前記凹部を塞いでいないときの前記凹部の内部の位置」から、「前記凹部の外側の位置、すなわちユーザーの臀部が当該柔軟部材の前方部分に当接する位置」に変更させる柔軟部材とを備えたものである。